(57)【要約】【課題】ゴミ袋に収容されたゴミを押し潰す際、手足を汚したり、傷つけたりすることなく、ゴミを押し潰して減容可能なゴミ減容器具の提供を課題とするものである。【解決手段】ゴミを圧潰し、減容化する圧潰部１０と、圧潰部１０と連結された短棒部２０、短棒部２０の他端に連結された連結部２１、及び連結部２１の一端から垂下された長棒部２２を有する棒材２３と、平板状のプレート３０、及びプレート３０から垂設され、棒材２３の長棒部２２の一部を嵌挿し、摺動可能に支持する筒状の支持筒部３１を有する支持台３２と、圧潰部１０に連結された棒材２３を支持台３２の支持筒部３１に沿って摺動させ、圧潰部１０を初期位置からゴミを圧潰する押下位置の間で変位させる変位手段と、支持筒部３１の筒内部に収容され、弾性力により棒材２３に連結された圧潰部１０を初期位置に付勢するバネとを具備する。【選択図】図１
0003121718.tif 000002
【実用新案登録請求の範囲】
【請求項１】
ゴミを圧潰し、減容化する圧潰部と、
一端が前記圧潰部と連結された短棒部、前記短棒部の他端から前記短棒部の直交方向に連結された連結部、及び前記短棒部と互いに略平行状態を保持して前記連結部と連結された長棒部を有するフック状の棒材と、
床面に設置される平板状のプレート、及び前記プレートに垂設され、前記棒材の前記長棒部の一部を嵌挿し、摺動可能に支持する筒状の支持筒部を有する支持台と、
前記圧潰部に連結された前記棒材を前記支持体の前記支持筒部に沿って摺動させ、前記圧潰部を初期位置から前記ゴミを圧潰する押下位置の間で変位させる変位手段と、
前記支持筒部の筒内部に収容され、前記棒材に連結された前記圧潰部を弾性力により前記初期位置に付勢する付勢手段と
を具備することを特徴とするゴミ減容器具。
【請求項２】
前記棒材の前記連結部及び前記長棒部の連結箇所から略水平方向に延設された延出部及び前記延出部の一端から垂下した垂下部を有する略Ｌ字形状のＬ字支持部と、
前記垂下部の垂下端に取付けられ、前記圧潰部を前記初期位置から前記押下位置まで変位させるための足踏み式のペダルと
をさらに具備することを特徴とする請求項１に記載のゴミ減容器具。
【請求項３】
前記圧潰部は、
方形状を呈し、少なくとも一部が開口した開口部を有するフレームと、
前記フレームの前記開口部に張設されたメッシュ部と
をさらに具備することを特徴とする請求項１又は請求項２に記載のゴミ減容器具。
【考案の詳細な説明】
【技術分野】
【０００１】
本考案はゴミ減容器具に関するものであり、特に、一般家庭、或いは医療施設や飲食店等から出るゴミを減容化するためのゴミ減容器具に関するものである。
【背景技術】
【０００２】
従来から家庭等から排出されたゴミをゴミ袋に詰める場合、ゴミを押し潰すことなくゴミを袋に収容すると、ゴミ同士が互いに重なって積まれるため、ゴミの嵩が増えてしまい、ゴミ袋の中に収容されるゴミの容量が少なくなる。特に、容器や箱等の嵩高のゴミの場合、容積が大きいため、ゴミ袋の中には多くの隙間ができ、少しのゴミしか収容できなくなる。そこで、ゴミを手や足等で押し潰し、ゴミ同士の隙間を狭くしてゴミの嵩を減らし、一枚のゴミ袋に収容することが可能なゴミの容量を増加させることが一般に行われている。
【考案の開示】
【考案が解決しようとする課題】
【０００３】
しかしながら、排出されたゴミを手で押し潰す場合、手や足でゴミを押し潰すためにはある程度の力が必要であった。そして、多量のゴミを押し潰すためには、何度もゴミを押し込む作業を行わなければならないので、飲食店等の業務において排出されたゴミを処理する作業者の労力の負担となっていた。また、ゴミ袋の中に先端の尖ったゴミがあると、手や足等に突き刺さったり、尖ったゴミが引っ掛り衣服が破れたりすることもあった。特に、医療施設から排出されたゴミ（医療廃棄物）は、表面に病原菌や雑菌等の細菌が付着している虞があり、尖ったゴミによって負傷した箇所から体内に細菌が侵入し、病気に感染する可能性があった。また、飲食店では、生ゴミなどを押し潰した場合、手や足や衣服が汚れることがあった。これにより、店内を清潔な状態に保つために、手や足や衣服の汚れた箇所を洗浄する時間や労力がかかっていた。加えて、生ゴミを押し潰す際、悪臭がするために従業員がこの作業を避けることがあった。
【０００４】
また、市町村によっては予め指定されたゴミ袋にゴミを詰めて収集に出すように規定されている。ところが、これらの市町村指定のゴミ袋は料金が割高であるとともに、排出されるゴミの量に応じて複数のゴミ袋が必要になるため、ゴミ処理に必要な費用を増加させていた。特に、多量のゴミを排出する病院や飲食店等では、多くのゴミ袋が必要になるため、一枚のゴミ袋にできるだけ多くのゴミを収容する必要があった。
【０００５】
そこで、本考案は、上記の実情に鑑み、ゴミ袋に収容されたゴミを押し潰す際、手足を汚したり、傷つけたりすることなく、ゴミを押し潰して減容可能なゴミ減容器具の提供を課題とするものである。
【課題を解決するための手段】
【０００６】
上記の課題を解決するため、本考案にかかるゴミ減容器具は、「ゴミを圧潰し、減容化する圧潰部と、一端が前記圧潰部と連結された短棒部、前記短棒部の他端から前記短棒部の直交方向に連結された連結部、及び前記短棒部と互いに略平行状態を保持して前記連結部と連結された長棒部を有するフック状の棒材と、床面に設置される平板状のプレート、及び前記プレートに垂設され、前記棒材の前記長棒部の一部を嵌挿し、摺動可能に支持する筒状の支持筒部を有する支持台と、前記圧潰部に連結された前記棒材を前記支持体の前記支持筒部に沿って下方に向かって摺動させ、前記圧潰部を前記初期位置から前記ゴミを圧潰する押下位置の間で変位させる変位手段と、前記支持筒部の筒内部に収容され、前記棒材に連結された前記圧潰部を弾性力により前記初期位置に付勢する付勢手段とを具備する」ものである。
【０００７】
したがって、本考案のゴミ減容器具によれば、ゴミ箱の中のゴミの上方に圧潰部を配置する。そして、連結部を下方に向かって手で押し下げる押圧操作を行うと、支持筒部の内部に収容されている付勢手段が長棒部の下端に押され、支持筒部の長手方向に沿って長棒部が摺動する。これにより、長棒部の摺動に連動して圧潰部が下方に移動する。その結果、圧潰部がゴミ箱の中のゴミを圧潰し、ゴミの量を減容化する。そして、連結部に加えられている荷重を解除すると、付勢手段の弾性力により棒材を上方に付勢し、長棒部が支持筒部に沿って上方に摺動され、連結部に対して押圧操作が行われる前の初期位置に圧潰部を復帰する。
【０００８】
本考案にかかるゴミ減容器具は、「前記棒材の前記連結部及び前記長棒部の連結箇所から略水平方向に延設された延出部及び前記延出部の一端から垂下した垂下部を有する略Ｌ字形状のＬ字支持部と、前記垂下部の垂下端に取付けられ、前記圧潰部を前記初期位置から前記押下位置まで変位させるための足踏み式のペダルとをさらに具備する」ものである。
【０００９】
したがって、本考案のゴミ減容器具によれば、足の力を用いてペダルに力を加えると、Ｌ字支持部から棒材に力が伝達され、棒材の長棒部が支持筒部に沿って摺動する。これにより、圧潰部が棒材に連動して下方の押下位置に移動し、手の力では圧潰することが困難であったゴミを圧潰することが可能となる。
【００１０】
これにより、作業者が力の弱い場合、或いは圧潰するゴミの量が多い場合には、足により容易にゴミを圧潰するための力を得ることが可能となる。さらに、ゴミ袋の中に硬いゴミが収容されていても、小さな力でもゴミを圧潰することができる。つまり、足の力によりペダルで押圧操作を行い、さらに、手の力により連絡部に押圧操作を行うことで、手と足との力を合わせた力でゴミ箱の中のゴミを圧潰することが可能となる。
【００１１】
さらに、本考案にかかるゴミ減容器具は、「前記圧潰部は、方形状を呈し、少なくとも一部が開口した開口部を有するフレームと、前記フレームの前記開口部に張設されたメッシュ部とをさらに具備する」ものである。
【００１２】
本考案のゴミ減容器具によれば、一度に広い面積に対してゴミを圧潰することが可能なため、圧潰するための作業の労力を軽減し、作業効率を向上させることが可能となる。
【考案の効果】
【００１３】
本考案のゴミ減容器具によれば、ゴミ袋に収容されたゴミを圧潰する場合、手などを汚したり、傷つけたりすることなく、小さな力でも硬いゴミを圧潰することが可能となる。
【考案を実施するための最良の形態】
【００１４】
以下、本考案の一実施形態であるゴミ減容器具１について、図１乃至図４に基づいて説明する。ここで、図１は本実施形態のゴミ減容器具１の構成を示す斜視図であり、図２は本実施形態のゴミ減容器具１の要部の構成を示す分解斜視図であり、図３は初期位置ＵＤにある圧潰部１０を示す説明図であり、図４は押下位置ＬＤにある圧潰部１０を示す説明図である。
【００１５】
本考案のゴミ減容器具１は、図１等に示すように、ゴミを圧潰し、減容化する圧潰部１０と、一端が圧潰部１０と連結された短棒部２０、短棒部２０の他端から短棒部２０の直交方向に連結された連結部２１、及び短棒部２０と互いに略平行状態を保持して連結部２１と連結された長棒部２２を有するフック状の棒材２３と、床面に設置される平板状のプレート３０、及びプレート３０に垂設され、棒材２３の長棒部２２の一部を嵌挿し、摺動可能に支持する筒状の支持筒部３１を有する支持台３２と、棒材２３の連結部２１及び長棒部２２の連結箇所から略水平方向に延設された延出部４０及び延出部４０の一端から垂下した垂下部４１を有する略Ｌ字形状のＬ字支持部４２と、垂下部４１の垂下端に取付けられ、圧潰部１０を初期位置ＵＤから押下位置ＬＤに変位させ、ゴミを圧潰させるための足踏み式のペダル６０とを備えている。さらに、図２に示すように、支持筒部３１の筒内部にはバネ５０（付勢手段に相当）が収容されており、弾性力により棒材２３の長棒部２２を上方に向かって付勢している。
【００１６】
また、圧潰部１０は、円形の連結孔を有する連結具１４を介して複数の樹脂製パイプを連結して形成され、開口部を有する枠状のフレーム１１、フレーム１１の開口部の面積と略同一の面積を有する金網部１２、及びフレーム１１に金網部１２を張設して締結する締結具１３とを備えて構成されている。ここで、フレーム１１は、円形の連結孔を有する連結孔を介して連結された複数のパイプから構成されている。
【００１７】
さらに、棒材２３及びＬ字支持部４２は、フレーム１１と同様にパイプと連結具１４とから形成されており、連結箇所は連結具１４を介して夫々連結されている。
【００１８】
次に、本考案のゴミ減容器具１の使用方法について主に図３及び図４に基づいて説明する。ここで、棒材２３の自重と、バネ５０が棒材２３を上方へ付勢する弾性力とが釣合っている状態での圧潰部１０の設置面Ｇからの高さを初期位置ＵＤとする。そして、棒材２３の連結部２１に対して、バネ５０の弾性力に抗する力Ｆ１によって下方へ向かう押圧操作を手によって行うと、棒材２３の長棒部２２の下端により支持筒部３１の筒内部に収容されたバネ５０の上端が押され、バネ５０が弾性変形によって縮み、これに伴って、長棒部２２が支持筒部３１の筒内側面に沿って下方に摺動する（変位手段に相当）。その結果、長棒部２２の支持筒部３１の摺動に連動して、短棒部２０と連結した圧潰部１０が初期位置ＵＤから押下位置ＬＤへと変位し、この圧潰部１０がゴミ箱Ｂに収容されたゴミＤを圧潰する（図４参照）。
【００１９】
その後、棒材２３に加えられた力Ｆ１を連結部２１から手を離して解除すると、長棒部２２の下端からバネ５０に対して加えられていた力がなくなる。このため、バネ５０が弾性力によって長棒部２２を上方に向かって付勢し、圧潰部１０が押下位置ＬＤから初期位置ＵＤへ変位する（図３参照）。上記動作を各々のゴミＤに対して行うことにより、嵩高いゴミを大幅に減容化することができる。
【００２０】
なお、上記動作は、足を用いてペダル６０に対してバネ５０の弾性力に抗する力Ｆ２によって押圧操作を行い、圧潰部１０に連結された棒材２３を支持台３２の支持筒部３１に沿って下方に向かって摺動させ、圧潰部１０を初期位置ＵＤからゴミＤを圧潰する押下位置ＬＤの間で変位させるものであってもよい。すなわち、手の力では潰すことの困難な大きなゴミ等の場合、手よりも強い足の力を利用することにより、容易に圧潰操作が可能となる。
【００２１】
以上説明したように、本実施形態のゴミ減容器具１によれば、ゴミ袋に収容されたゴミＤを圧潰する場合、手や足を汚したり、傷つけたりする虞がない。また、連結部２０に対して足を用いて押圧操作を行い、圧潰部１０を初期位置ＵＤから押下位置ＬＤに変位させることにより、小さな力でゴミＤを押し潰すことができる。また、足の力によりペダル６０を下方に向かって押し、手の力により連結部２１を下方に向かって押すことによって、手と足との力を用いてゴミＤを押し潰すことが可能となる。
【００２２】
さらに、本実施形態のゴミ減容器具１によれば、飲食店等から排出された多量のゴミに対して、従来に比べて、一度に多くのゴミＤを圧潰することができ、何度もゴミＤを押し潰す作業をすることないため、作業効率を向上することが可能となる。また、医療施設から排出されたゴミに手足等が直接触れる虞がないため、尖ったゴミで怪我をすることなく、安全に圧潰操作を行うことができる。加えて、一枚のゴミ袋にできるだけ多くのゴミＤを収容することができ、ゴミ袋の使用量を抑えることができる。
【００２３】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００２４】
本実施形態では、棒材２３の重みによって、支持筒部３１に嵌挿された長棒部２２の一部が支持筒部３１から外れることを防止するものを示したが、長棒部２２の外周面に形成され、外方に向かって突出した突部を有し、長棒部２２の一部が支持筒から外れるのを防ぐものであってもよい。ただし、棒材２３の重みによって長棒部２２が支持筒から外れることを防ぐものを用いることによって、構造を簡素化することが可能となる。
【００２５】
さらに、本実施形態では、圧潰部１０は金網部１２を具備するものを示したが、樹脂から形成されたメッシュ部を具備するものであってもよい。ただし、ゴミを圧潰する場合、金網部１２を用いることによって破損の虞が少ないため、特に好適である。
【００２６】
また、本実施形態では、棒材２３及びＬ字支持部４２は、連結具１４を介してパイプ１５を連結して形成したものを示したが、パイプ１５を折曲げ、一体に形成されたものであってもよい。
【図面の簡単な説明】
【００２７】
【図１】本実施形態のゴミ減容器具の構成を示す斜視図である。
【図２】本実施形態のゴミ減容器具の要部の構成を示す分解斜視図である。
【図３】初期位置にある圧潰部を示す説明図である。
【図４】押下位置にある圧潰部を示す説明図である。
【符号の説明】
【００２８】
１    ゴミ減容器具
１０  圧潰部
１１  フレーム
１２  金網部（メッシュ部）
２０  短棒部
２１  連結部
２２  長棒部（変位手段）
２３  棒材
３０  プレート
３１  支持筒部（変位手段）
３２  支持台
４０  延出部
４１  垂下部
４２  Ｌ字支持部
５０  バネ（付勢手段）
６０  ペダル
【図１】
0003121718.tif 000003
【図２】
0003121718.tif 000004
【図３】
0003121718.tif 000005
【図４】
0003121718.tif 000006